(57)【要約】【課題】パラメータの値を設定する際の操作性及び利便性を確保しつつ、所望の画像を取得する。【解決手段】表示部と、相互に異なる複数の撮影条件のそれぞれを定める複数のパラメータのそれぞれの値を撮影用設定値として記憶する記憶部とを有する撮影装置であって、第１の撮影モード、または、撮影用設定値で撮影を行う第２の撮影モードの選択を受け付ける入力部と、第１の撮影モードが選択された場合、撮影指示が受け付けられると、複数のパラメータのうちのいずれか１つのパラメータの値を変更していく動作を当該複数のパラメータの数の分だけ繰り返す制御部と、パラメータの値の変更の度に撮影を行うことにより複数の画像を取得する撮像部とを有し、制御部は、取得された複数の画像を表示部に表示させ、該表示された複数の画像のうち、選択された画像が取得されたときの撮影における複数のパラメータのそれぞれの値を撮影用設定値として記憶部に記憶させる。【選択図】図１
2012090166.tif 000002
【特許請求の範囲】
【請求項１】
表示部と、相互に異なる複数の撮影条件のそれぞれを定める複数のパラメータのそれぞれの値を撮影用設定値として記憶する記憶部とを有する撮影装置であって、
第１の撮影モード、または、前記撮影用設定値で撮影を行う第２の撮影モードの選択を受け付ける入力部と、
前記第１の撮影モードが選択された場合、撮影指示が受け付けられると、前記複数のパラメータのうちのいずれか１つのパラメータの値を変更していく動作を当該複数のパラメータの数の分だけ繰り返す制御部と、
前記変更の度に撮影を行うことによって複数の画像を取得する撮像部と、を有し、
前記制御部は、前記複数の画像を前記表示部に表示させ、該表示された複数の画像のうち、選択された画像が取得されたときの撮影における前記複数のパラメータのそれぞれの値を前記撮影用設定値として前記記憶部に記憶させる撮影装置。
【請求項２】
請求項１に記載の撮影装置において、
前記入力部は、前記複数のパラメータのうちの少なくとも１つの選択を受け付け、
前記制御部は、前記複数のパラメータのうちのいずれかが選択されると、前記複数の画像のうち、前記選択されたパラメータの値を変更していきながら行われた撮影によって取得された複数の画像を前記表示部に表示させ、該表示された複数の画像のうち、選択された画像が取得されたときの撮影における前記選択されたパラメータの値を前記撮影用設定値として前記記憶部に記憶させる撮影装置。
【請求項３】
請求項２に記載の撮影装置において、
前記制御部は、前記複数のパラメータのうちの複数のパラメータが選択されると、該選択された複数のパラメータのそれぞれを変更していきながら行われた撮影によって取得された複数の画像のそれぞれを合成した複数の合成画像を生成し、該生成した複数の合成画像のそれぞれを前記表示部に表示させ、該表示された複数の合成画像のうち、選択された合成画像の合成元の複数の画像のそれぞれが取得されたときの撮影における前記選択された複数のパラメータの値のそれぞれを前記撮影用設定値として前記記憶部に記憶させる撮影装置。
【請求項４】
表示部と、相互に異なる複数の撮影条件のそれぞれを定める複数のパラメータのそれぞれの値を撮影用設定値として記憶する記憶部とを有する撮影装置における設定値決定方法であって、
第１の撮影モード、または、前記撮影用設定値で撮影を行う第２の撮影モードの選択を受け付ける処理と、
前記第１の撮影モードが選択された場合、撮影指示が受け付けられると、前記複数のパラメータのうちのいずれか１つのパラメータの値を変更していく動作を当該複数のパラメータの数の分だけ繰り返す処理と、
前記変更の度に撮影を行うことによって複数の画像を取得する処理と、
前記複数の画像を前記表示部に表示させ、該表示された複数の画像のうち、選択された画像が取得されたときの撮影における前記複数のパラメータのそれぞれの値を前記撮影用設定値として前記記憶部に記憶させる記憶処理と、を有する設定値決定方法。
【請求項５】
請求項４に記載の設定値決定方法において、
前記複数のパラメータのうちの少なくとも１つの選択を受け付ける処理をさらに有し、
前記記憶処理は、前記複数のパラメータのうちのいずれかが選択されると、前記複数の画像のうち、前記選択されたパラメータの値を変更していきながら行われた撮影によって取得された複数の画像を前記表示部に表示させ、該表示された複数の画像のうち、選択された画像が取得されたときの撮影における前記選択されたパラメータの値を前記撮影用設定値として前記記憶部に記憶させる処理である設定値決定方法。
【請求項６】
請求項５に記載の設定値決定方法において、
前記複数のパラメータのうちの複数のパラメータが選択されると、該選択された複数のパラメータのそれぞれを変更していきながら行われた撮影によって取得された複数の画像のそれぞれを合成した複数の合成画像を生成し、該生成した複数の合成画像のそれぞれを前記表示部に表示させ、該表示された複数の合成画像のうち、選択された合成画像の合成元の複数の画像のそれぞれが取得されたときの撮影における前記選択された複数のパラメータの値のそれぞれを前記撮影用設定値として前記記憶部に記憶させる処理をさらに有する設定値決定方法。
【請求項７】
表示部と、相互に異なる複数の撮影条件のそれぞれを定める複数のパラメータのそれぞれの値を撮影用設定値として記憶する記憶部とを有する撮影装置に、
第１の撮影モード、または、前記撮影用設定値で撮影を行う第２の撮影モードの選択を受け付ける機能と、
前記第１の撮影モードが選択された場合、撮影指示が受け付けられると、前記複数のパラメータのうちのいずれか１つのパラメータの値を変更していく動作を当該複数のパラメータの数の分だけ繰り返す機能と、
前記変更の度に撮影を行うことによって複数の画像を取得する機能と、
前記複数の画像を前記表示部に表示させ、該表示された複数の画像のうち、選択された画像が取得されたときの撮影における前記複数のパラメータのそれぞれの値を前記撮影用設定値として前記記憶部に記憶させる記憶機能と、を実現させるためのプログラム。
【請求項８】
請求項７に記載のプログラムにおいて、
前記撮影装置に、前記複数のパラメータのうちの少なくとも１つの選択を受け付ける機能をさらに実現させ、
前記記憶機能は、前記複数のパラメータのうちのいずれかが選択されると、前記複数の画像のうち、前記選択されたパラメータの値を変更していきながら行われた撮影によって取得された複数の画像を前記表示部に表示させ、該表示された複数の画像のうち、選択された画像が取得されたときの撮影における前記選択されたパラメータの値を前記撮影用設定値として前記記憶部に記憶させる機能であるプログラム。
【請求項９】
請求項８に記載のプログラムにおいて、
前記撮影装置に、
前記複数のパラメータのうちの複数のパラメータが選択されると、該選択された複数のパラメータのそれぞれを変更していきながら行われた撮影によって取得された複数の画像のそれぞれを合成した複数の合成画像を生成し、該生成した複数の合成画像のそれぞれを前記表示部に表示させ、該表示された複数の合成画像のうち、選択された合成画像の合成元の複数の画像のそれぞれが取得されたときの撮影における前記選択された複数のパラメータの値のそれぞれを前記撮影用設定値として前記記憶部に記憶させる処理をさらに実現させるためのプログラム。
【発明の詳細な説明】
【技術分野】
【０００１】
本発明は、被写体を撮影する撮影装置、設定値決定方法およびプログラムに関する。
【背景技術】
【０００２】
近年、撮影装置であるデジタルカメラの機能が携帯電話機等の携帯端末に内蔵されることが一般的になってきている。
【０００３】
デジタルカメラには、相互に異なる複数の撮影条件のそれぞれを定める複数のパラメータが用意されており、ユーザは撮影場所や好み等に応じてパラメータの値を設定することによって所望の画像を取得することができる。
【０００４】
パラメータの値を設定する方法としては、ユーザ自身が、文字列またはアイコンにて表示されたパラメータ関連メニューから行う方法がある。以降、この方法のことを第１の方法という。
【０００５】
図９は、撮影装置のパラメータの値を設定する方法の一例を説明するための図であり、撮影装置が備える表示部に表示された画面の遷移を示している。
【０００６】
図９を参照しながら、第１の方法について説明する。
【０００７】
まず、被写体（ここでは車）が表示されたカメラプレビュー画面において、ユーザは、各種の設定を行うための画面であるサブメニュー画面を表示させるために、撮影装置に設けられたボタン（不図示）等を押下する。これにより、サブメニュー画面が表示される。
【０００８】
次に、ユーザは、サブメニュー画面において「３．カメラパラメータ種別」を選択する。これにより、複数のパラメータを一覧表示するカメラパラメータ種別画面が表示される。
【０００９】
次に、ユーザは、カメラパラメータ種別画面において任意のパラメータ種別を選択する。これにより、選択したパラメータの値を設定するための画面が表示される。なお、ここでは、カメラパラメータ種別画面において「１．明るさ」が選択されたものとする。
【００１０】
カメラパラメータ種別画面において「１．明るさ」が選択されると、明るさ設定画面（１／２）が表示される。なお、明るさ設定画面（１／２）に所望の値が表示されていない場合、ユーザは、改頁して明るさ設定画面（２／２）を表示させる。
【００１１】
そして、ユーザは、明るさ設定画面（１／２）または明るさ設定画面（２／２）において所望の値を選択する。これにより、「明るさ」を定めるパラメータの値が設定される。なお、さらに他のパラメータの値を設定する場合、カメラパラメータ種別画面に戻り、ユーザは、上述したのと同様の操作を繰り返すことになる。
【００１２】
上述した第１の方法では、ユーザがパラメータの値を選択することになるが、通常ユーザは、所望の画像のイメージに対応するパラメータの値がわからないことが多い。そのため、ユーザは、所望の画像を取得できるまでパラメータの値の設定と撮影とを繰り返すことになる。
【００１３】
そこで、撮影装置が撮影シーンに応じて複数のパラメータのそれぞれの値を設定するという方法がある。以降、この方法のことを第２の方法という。しかし、第２の方法の場合、撮影装置によって決定された値で撮影することになるため、個々のユーザの好みを撮影によって取得された画像に反映させることが難しい。
【００１４】
また、撮影装置がパラメータの値を変えながら複数回の撮影を行い、複数回の撮影によって取得された複数の画像の中からユーザが好みの画像を選択するという方法もある。以降、この方法のことを第３の方法という。しかし、第３の方法の場合、撮影場所等に変更が無い場合でも、撮影を行う度に、複数の画像の中から画像を選択しなくてはならない。
【００１５】
このように、上述した第１〜第３の方法はいずれも、パラメータの値を設定する方法として操作性及び利便性が十分にあるとは言えない。
【００１６】
ここで、デジタルカメラ等の撮影装置において、所望の画像を容易に取得できるようにするための技術が例えば、特許文献１に開示されている。
【００１７】
特許文献１に開示されている技術では、複数種類の撮影モードのそれぞれによって撮影を行い、複数の予備撮影画像を取得する。そして、複数の予備撮影画像の中から選択された予備撮影画像を取得した際の撮影モードが設定される。
【先行技術文献】
【特許文献】
【００１８】
【特許文献１】特開２００５−３５４４８６号公報
【発明の概要】
【発明が解決しようとする課題】
【００１９】
上述した特許文献１に開示されている技術を用いれば、パラメータの値を設定する際の操作性及び利便性を確保しつつ、所望の画像を取得することが可能なようにも思える。
【００２０】
特許文献１に開示されている技術では、予め設定された複数の撮影モード（例えば、夜景モード等）で撮影された複数の予備撮影画像の中から１つの画像を選択する構成となっている。つまり、上述した第２の方法における課題を解決しているとはいえず、所望の画像を取得することができない可能性が高い。
【００２１】
本発明は、パラメータの値を設定する際の操作性及び利便性を確保しつつ、所望の画像を取得することを可能にする撮影装置、設定値決定方法およびプログラムを提供することを目的とする。
【課題を解決するための手段】
【００２２】
上記目的を達成するために本発明の撮影装置は、表示部と、相互に異なる複数の撮影条件のそれぞれを定める複数のパラメータのそれぞれの値を撮影用設定値として記憶する記憶部とを有する撮影装置であって、
第１の撮影モード、または、前記撮影用設定値で撮影を行う第２の撮影モードの選択を受け付ける入力部と、
前記第１の撮影モードが選択された場合、撮影指示が受け付けられると、前記複数のパラメータのうちのいずれか１つのパラメータの値を変更していく動作を当該複数のパラメータの数の分だけ繰り返す制御部と、
前記変更の度に撮影を行うことによって複数の画像を取得する撮像部と、を有し、
前記制御部は、前記複数の画像を前記表示部に表示させ、該表示された複数の画像のうち、選択された画像が取得されたときの撮影における前記複数のパラメータのそれぞれの値を前記撮影用設定値として前記記憶部に記憶させる。
【００２３】
また、上記目的を達成するために本発明の設定値決定方法は、表示部と、相互に異なる複数の撮影条件のそれぞれを定める複数のパラメータのそれぞれの値を撮影用設定値として記憶する記憶部とを有する撮影装置における設定値決定方法であって、
第１の撮影モード、または、前記撮影用設定値で撮影を行う第２の撮影モードの選択を受け付ける処理と、
前記第１の撮影モードが選択された場合、撮影指示が受け付けられると、前記複数のパラメータのうちのいずれか１つのパラメータの値を変更していく動作を当該複数のパラメータの数の分だけ繰り返す処理と、
前記変更の度に撮影を行うことによって複数の画像を取得する処理と、
前記複数の画像を前記表示部に表示させ、該表示された複数の画像のうち、選択された画像が取得されたときの撮影における前記複数のパラメータのそれぞれの値を前記撮影用設定値として前記記憶部に記憶させる記憶処理と、を有する。
【００２４】
また、上記目的を達成するために本発明のプログラムは、表示部と、相互に異なる複数の撮影条件のそれぞれを定める複数のパラメータのそれぞれの値を撮影用設定値として記憶する記憶部とを有する撮影装置に、
第１の撮影モード、または、前記撮影用設定値で撮影を行う第２の撮影モードの選択を受け付ける機能と、
前記第１の撮影モードが選択された場合、撮影指示が受け付けられると、前記複数のパラメータのうちのいずれか１つのパラメータの値を変更していく動作を当該複数のパラメータの数の分だけ繰り返す機能と、
前記変更の度に撮影を行うことによって複数の画像を取得する機能と、
前記複数の画像を前記表示部に表示させ、該表示された複数の画像のうち、選択された画像が取得されたときの撮影における前記複数のパラメータのそれぞれの値を前記撮影用設定値として前記記憶部に記憶させる記憶機能と、を実現させる。
【発明の効果】
【００２５】
本発明は以上説明したように構成されているので、パラメータの値を設定する際の操作性及び利便性を確保しつつ、所望の画像を取得することが可能となる。
【図面の簡単な説明】
【００２６】
【図１】本発明の撮影装置の実施の一形態の構成を示すブロック図である。
【図２】図１に示した表示部に表示される撮影モード選択画面の一例を示す図である。
【図３】図１に示した表示部に表示されるプレビュー画面の一例を示す図である。
【図４】図１に示した表示部に表示される一覧画面の一例を示す図である。
【図５】図１に示した表示部に表示される詳細画面の一例を示す図である。
【図６】図１に示した制御部が備える画像データテーブルの構成の一例を示す図である。
【図７】図１に示した制御部が備える画像データテーブルに追加される情報の一例を示す図である。
【図８】図１〜図７に示した撮影装置において撮影用設定値を決定するときの動作を説明するためのフローチャートである。
【図９】撮影装置のパラメータの値を設定する方法の一例を説明するための図である。
【発明を実施するための形態】
【００２７】
以下に、本発明の実施の形態について図面を参照して説明する。
【００２８】
図１は、本発明の撮影装置の実施の一形態の構成を示すブロック図である。
【００２９】
本実施形態の撮影装置１０は図１に示すように、撮像部１１と、Ａ／Ｄ（アナログ／デジタル）変換部１２と、画像処理部１３と、バッファメモリ１４と、入力部１５と、制御部１６と、表示部１７と、記憶部であるパラメータ記憶部１８と、記録用メモリ１９とを備えている。
【００３０】
パラメータ記憶部１８は、相互に異なる複数の撮影条件のそれぞれを定める複数のパラメータの値を撮影用設定値として記憶する。なお、複数のパラメータとは例えば、明るさ（露出）、ＩＳＯ感度、ホワイトバランス等である。
【００３１】
撮像部１１は、入射された光から被写体像をレンズ（不図示）によって結像し、結像した被写体像をイメージセンサ（不図示）等の撮像素子によって電気信号に変換する。これにより、被写体の画像が取得される。そして、撮像部１１は、変換した電気信号をＡ／Ｄ変換部１２へ出力する。なお、撮像部１１は、後述する制御部１６から出力された撮影信号を受け付けると撮影を行う。但し、撮像部１１は、撮影信号を受け付けていない状態でも入射された光から被写体像を結像して電気信号に変換する。この被写体像は、後述するＡ／Ｄ変換部１２等を介してスルー画像として表示部１７に表示される。なお、スルー画像とは、被写体像を連続的に表示するための動画像のことである。
【００３２】
Ａ／Ｄ変換部１２は、撮像部１１から出力された電気信号を受け付け、受け付けた電気信号からデジタルの画像データを生成する。そして、Ａ／Ｄ変換部１２は、生成された画像データを画像処理部１３へ出力する。
【００３３】
画像処理部１３は、Ａ／Ｄ変換部１２から出力された画像データを受け付け、受け付けた画像データに必要な画像処理を施してバッファメモリ１４へ出力する。
【００３４】
バッファメモリ１４は、画像処理部１３から出力された画像データを受け付け、受け付けた画像データを一時的に記憶する。
【００３５】
表示部１７は、例えばＬＣＤ（Ｌｉｑｕｉｄ  Ｃｒｙｓｔａｌ  Ｄｉｓｐｌａｙ）（不図示）を備えており、撮像部１１にて取得された画像や、撮影装置１０を制御するための設定メニュー等を表示する。以下の（１）〜（４）に、表示部１７に表示される画面の一例を示す。
【００３６】
（１）撮影モード選択画面
図２は、図１に示した表示部１７に表示される撮影モード選択画面の一例を示す図である。
【００３７】
撮影モード選択画面は図２に示すように、第１の撮影モードである試し撮りモードか、第２の撮影モードである通常撮影モードかの選択を受け付けるための画面である。なお、試し撮りモードとは、撮影を行う前に、複数のパラメータのそれぞれの値を決定することを目的とした撮影を行うためのモードである。詳細については後述するが、試し撮りモードでは複数のパラメータのそれぞれの値を変更していきながら複数回の撮影が行われ、複数の画像が取得される。
【００３８】
（２）プレビュー画面
図３は、図１に示した表示部１７に表示されるプレビュー画面の一例を示す図である。
【００３９】
図３に示すプレビュー画面は、スルー画像を含んでおり、図２に示した撮影モード選択画面においていずれかの撮影モードが選択されると表示される。なお、ここでは被写体を車としている。
【００４０】
（３）一覧画面
図４は、図１に示した表示部１７に表示される一覧画面の一例を示す図である。
【００４１】
図４に示す一覧画面は、試し撮りモードにおいて撮影が行われた後に表示される。一覧画面には図４に示すように、複数のパラメータのそれぞれを示す複数のアイコンから構成されるアイコン群５１が表示される。なお、通常撮影モードにおいて撮影が行われた後には、一覧画面ではなく、その撮影によって取得された画像が表示部１７に表示される。
【００４２】
図４に示す一覧画面において、アイコン群５１を構成するアイコンが押下されることによってパラメータが選択される。
【００４３】
また、一覧画面には図４に示すように、アイコン５２が表示されている。一覧画面においてアイコン群５１を構成するアイコンのうちの少なくとも１つが押下された上で、さらにアイコン５２が押下されると、後述する詳細画面が表示部１７に表示される。
【００４４】
（４）詳細画面
図５は、図１に示した表示部１７に表示される詳細画面の一例を示す図である。
【００４５】
詳細画面では、試し撮りモードにおける撮影によって取得された複数の画像が画像群６１として表示される。画像群６１を構成する複数の画像のそれぞれは、図４に示した一覧画面において選択されたパラメータの値を変更していきながら行われた撮影によって取得された画像である。
【００４６】
詳細画面においてアイコン６２が押下されると、選択枠６３が自動的に移動していき、選択枠６３に囲まれた画像が拡大画像６４として表示される。なお、矢印アイコン６５，６６を用いて選択枠６３を移動させることにより、画像群６１を構成する複数の画像のそれぞれを手動で拡大画像６４として表示させることも可能である。また、ユーザは、スライダバー６７を用いることによって所望の画像を容易に検索することができる。
【００４７】
また、詳細画面においてアイコン６９が押下されると、そのときに選択枠６３で囲まれている画像が選択される。
【００４８】
また、詳細画面においてアイコン６８が押下されると、図４に示したような一覧画面に戻ることができる。一覧画面に戻った場合、アイコン群５１を構成する複数のアイコンのうちの少なくとも１つが押下された上で、アイコン５２が押下されることにより、再度詳細画面が表示される。すなわち、ユーザは、パラメータの選択と画像の選択とを繰り返し行うことができる。
【００４９】
再度、図１を参照すると、入力部１５は、撮影を行うための撮影指示等の各種指示や選択等の入力を撮影装置１０のユーザから受け付け、受け付けた指示を示す情報や選択された内容を示す情報を制御部１６へ出力する。入力部１５には例えば、撮像指示の入力に用いられるシャッターボタン、上下左右ボタン等が含まれる。なお、ここでは、入力部１５は、表示部１７に積層されたタッチパネルを備えており、表示部１７に表示されたアイコン等が押下されることによっても、各種指示や選択等の入力が受け付けられるものとする。
【００５０】
記録用メモリ１９は、通常撮影モードにおける撮影によって取得された画像を示す画像データを記憶する。
【００５１】
制御部１６は、撮影を行うための撮影モードへの切り替えを指示する情報を入力部１５から受け付けると、図２に示したような撮影モード選択画面を表示部１７に表示させる。そして、制御部１６は、通常撮影モードが選択されたことを示す情報を入力部１５から受け付けると、通常撮影モードに移行し、図３に示したようなプレビュー画面を表示部１７に表示させる。その後、制御部１６は、撮影指示を受け付けたことを示す情報を入力部１５から受け付けると、撮像部１１へ撮影信号を出力する。この場合、パラメータ記憶部１８に記憶された撮影用設定値で撮影が行われる。一方、制御部１６は、試し撮りモードが選択されたことを指示する情報を入力部１５から受け付けると、試し撮りモードに移行し、図３に示したようなプレビュー画面を表示部１７に表示させる。その後、制御部１６は、撮影指示を受け付けたことを示す情報を入力部１５から受け付けると、複数のパラメータのうちの１つのパラメータの値を変更していきながら、値を変更する度に撮影信号を撮像部１１へ出力する。これを、複数のパラメータの数の分だけ繰り返す。なお、このとき、複数のパラメータのうちの１つパラメータ以外の値は、標準値に固定される。標準値は、複数のパラメータ毎に予め決めておけばよい。これにより、バッファメモリ１４に複数の画像データが記憶される。制御部１６は、画像データがバッファメモリ１４に記憶される度に、その画像データが示す画像を識別するための画像ＩＤ（Ｉｄｅｎｔｉｆｉｃａｔｉｏｎ）を付与する。そして、制御部１６は、付与した画像ＩＤと、その画像ＩＤで識別される画像が取得されたときの複数のパラメータのそれぞれの値とを対応付け、制御部１６が備える画像データテーブルに記憶する。
【００５２】
図６は、図１に示した制御部１６が備える画像データテーブルの構成の一例を示す図である。
【００５３】
図６に示す画像データテーブルにおいて、画像ＩＤの上位２桁は、複数のパラメータのそれぞれを示す値となっている。例えば、図６に示した例では、画像ＩＤの上位２桁「００」は「明るさ」を示しており、画像ＩＤの上位２桁が「００」の画像は、「明るさ」の値を変更していきながら行われた撮影によって取得された画像となる。同様に、画像ＩＤの上位２桁「０１」は「ＩＳＯ感度」を示しており、画像ＩＤの上位２桁「０１」の画像は、「ＩＳＯ感度」の値を変更していきながら行われた撮影によって取得された画像となる。
【００５４】
そして、画像ＩＤの下位２桁は、画像ＩＤの上位２桁の値毎に、「００」から始まるシリアルな値としている。以上の画像ＩＤの付与方法は一例であって、必ずしもこのような方法に限定されない。
【００５５】
画像ＩＤと複数のパラメータのそれぞれの値とを対応付けて画像データテーブルに記憶させた後、制御部１６は、図４に示したような一覧画面を表示部１７に表示させる。その後、制御部１６は、一覧画面において選択されたパラメータを示す値を入力部１５から受け付ける。そして、制御部１６は、バッファメモリ１４に記憶された複数の画像データのうち、画像ＩＤの上位２桁が、受け付けた値と一致する複数の画像データに基づく複数の画像を、図５に示した詳細画面における画像群６１を構成する複数の画像として表示部１７に表示させる。その後、制御部１６は、詳細画面において選択された画像を示す画像ＩＤを入力部１５から受け付ける。そして、制御部１６は、受け付けた画像ＩＤに対応する値のうち、一覧画面において選択されたパラメータの値を撮影用設定値としてパラメータ記憶部１８に記憶させる。
【００５６】
ここで、一覧画面において複数のパラメータが選択された場合、制御部１６は、複数のパラメータを示す複数の値を入力部１５から受け付けることになる。この場合、制御部１６は、受け付けた複数の値を画像ＩＤの上位２桁とする複数の画像のそれぞれを合成した複数の合成画像を生成する。そして、制御部１６は、生成した複数の合成画像のそれぞれを示す合成画像データのそれぞれに画像ＩＤを付与してバッファメモリ１４に記憶させる。さらに、制御部１６は、付与した画像ＩＤと、合成元の複数の画像のそれぞれが取得されたときの撮影における複数のパラメータのそれぞれの値とを対応付けて画像データテーブルに追加する。例えば、受け付けた値が「００」及び「０１」であった場合、図６に示した画像データテーブルに、以下の図７に示すような情報が追加される。
【００５７】
図７は、図１に示した制御部１６が備える画像データテーブルに追加される情報の一例を示す図である。なお、ここでは、合成画像の画像ＩＤは、最上位桁が「ａ」であり、下位３桁が「０００」から始まるシリアルな値であるものとする。
【００５８】
図７において画像ＩＤ「ａ０００」に対応する設定値は、図６に示した画像データテーブルにおける画像ＩＤ「００００」における設定値と、画像ＩＤ「０１００」における設定値とを組み合わせた設定値となっている。同様に、図７において画像ＩＤ「ａ００９」に対応する設定値は、図６に示した画像データテーブルにおける画像ＩＤ「００００」における設定値と、画像ＩＤ「０１０１」における設定値とを組み合わせたものとなっている。
【００５９】
このように、複数のパラメータが選択された場合、複数の合成画像が生成される。但し、生成される合成画像の最大数はバッファメモリ１４の容量に応じて予め決められており、ユーザは予め決められた範囲内で最大数を設定できるものとする。なお、合成画像の数がユーザによって設定された最大数よりも多くなってしまう場合には、その最大数以下になるように、生成される合成画像の数が制御部１６によって調整される。
【００６０】
そして、制御部１６は、生成した複数の合成画像を、図５に示した詳細画面における画像群６１として表示部１７に表示させる。その後、制御部１６は、詳細画面において選択された合成画像を示す画像ＩＤを入力部１５から受け付ける。そして、制御部１６は、受け付けた画像ＩＤに対応する値のうち、一覧画面において選択された複数のパラメータのそれぞれの値を撮影用設定値としてパラメータ記憶部１８に記憶させる。
【００６１】
以下に、上記のように構成された撮影装置１０において撮影用設定値を決定するときの動作を説明する。
【００６２】
図８は、図１〜図７に示した撮影装置１０において撮影用設定値を決定するときの動作を説明するためのフローチャートである。
【００６３】
まず、ユーザは、入力部１５を介して撮影モードへの切り替えを指示する入力を行う。
【００６４】
入力部１５は、撮影モードへの切り替えを指示する入力を受け付ける（ステップＳ１）
そして、入力部１５は、撮影モードへの切り替えを指示する情報を制御部１６へ出力する。
【００６５】
入力部１５から出力された情報を受け付けた制御部１６は、図２に示したような撮影モード選択画面を表示部１７に表示させる（ステップＳ２）。
【００６６】
次に、ユーザは、表示部１７に表示された撮影モード選択画面から、入力部１５を介して、試し撮りモードか通常撮影モードかを選択する。なお、ここでは、試し撮りモードが選択されたものとする。
【００６７】
入力部１５は、試し撮りモードの選択を受け付ける（ステップＳ３）。
【００６８】
そして、入力部１５は、試し撮りモードが選択されたことを示す情報を制御部１６へ出力する。
【００６９】
入力部１５から出力された情報を受け付けた制御部１６は、図３に示したようなプレビュー画面を表示部１７に表示させる（ステップＳ４）。
【００７０】
次に、ユーザは、表示部１７に表示されたプレビュー画面を見ながら、入力部１５を介して撮影指示を入力する。
【００７１】
入力部１５は、撮影指示の入力を受け付ける（ステップＳ５）。
【００７２】
そして、入力部１５は、撮影指示を受け付けたことを示す情報を制御部１６へ出力する。
【００７３】
入力部１５から出力された情報を受け付けた制御部１６は、複数のパラメータのうちの１つのパラメータの値を変更していきながら、値を変更する度に撮影信号を撮像部１１へ出力する。これを、複数のパラメータの数だけ繰り返す。これにより、撮像部１１は、撮影を複数回行う（ステップＳ６）。
【００７４】
制御部１６は、バッファメモリ１４に画像データが記憶される度に、その画像データに画像ＩＤを付与する。
【００７５】
次に、制御部１６は、付与した画像ＩＤと、その画像ＩＤで識別される画像が取得されたときの複数のパラメータのそれぞれの値とを対応付けて画像データテーブルに記憶する（ステップＳ７）。
【００７６】
そして、制御部１６は、図３に示したような一覧画面を表示部１７に表示させる（ステップＳ８）。
【００７７】
次に、ユーザは、表示部１７に表示された一覧画面においてアイコン群５１を構成する複数のアイコンのうちの少なくとも１つを選択し、アイコン５２を押下する。これにより、パラメータが選択される。
【００７８】
入力部１５は、ユーザからのパラメータの選択を受け付ける（ステップＳ９）。
【００７９】
そして、入力部１５は、選択されたパラメータを示す値を制御部１６へ出力する。
【００８０】
入力部１５から出力された値を受け付けた制御部１６は、受け付けた値の数を確認することにより、複数のパラメータが選択されたかどうかを判定する（ステップＳ１０）。
【００８１】
ステップＳ１０における判定の結果、複数のパラメータが選択されていない場合、制御部１６は、バッファメモリ１４に記憶された複数の画像データのうち、画像ＩＤの上位２桁が、受け付けた値と一致する複数の画像データに基づく画像を、図５に示したような詳細画面における画像群６１として表示部１７に表示させる（ステップＳ１１）。
【００８２】
次に、ユーザは、画像群６１を構成する複数の画像の中から１つの画像を選択する。
【００８３】
入力部１５は、画像の選択を受け付ける（ステップＳ１２）。そして、入力部１５は、選択された画像を示す画像データに付与された画像ＩＤを制御部１６へ出力する。
【００８４】
入力部１５から出力された画像ＩＤを受け付けた制御部１６は、受け付けた画像ＩＤに対応する値のうち、一覧画面において選択されたパラメータの値を撮影用設定値としてパラメータ記憶部１８に記憶させる（ステップＳ１３）。
【００８５】
一方、ステップＳ１０における判定の結果、複数のパラメータが選択されている場合、制御部１６は、受け付けた複数の値を画像ＩＤの上位２桁とする複数の画像のそれぞれを合成した複数の合成画像のそれぞれを示す複数の合成画像データを生成する（ステップＳ１４）。
【００８６】
次に、制御部１６は、生成した複数の合成画像データのそれぞれに画像ＩＤを付与してバッファメモリ１４に記憶させる。
【００８７】
次に、制御部１６は、付与した画像ＩＤと、合成画像の合成元の複数の画像が取得されたときの撮影における複数のパラメータのそれぞれの値とを対応付けて画像データテーブルに追加する（ステップＳ１５）。
【００８８】
そして、制御部１６は、バッファメモリ１４に記憶された複数の合成画像データに基づく複数の合成画像を、図５に示したような詳細画面における画像群６１として表示部１７に表示させる（ステップＳ１６）。
【００８９】
次に、ユーザは、画像群６１を構成する複数の合成画像の中から１つの画像を選択する。
【００９０】
入力部１５は、合成画像の選択を受け付ける（ステップＳ１７）。そして、入力部１５は、選択された合成画像を示す合成画像データに付与された画像ＩＤを制御部１６へ出力する。
【００９１】
入力部１５から出力された画像ＩＤを受け付けた制御部１６は、受け付けた画像ＩＤに対応する値のうち、一覧画面において選択された複数のパラメータのそれぞれの値を撮影用設定値としてパラメータ記憶部１８に記憶させる（ステップＳ１８）。
【００９２】
このように本実施形態において撮影装置１０は、試し撮りモード、または、パラメータ記憶部１８に記憶された撮影用設定値で撮影を行う通常撮影モードの選択を受け付ける。
【００９３】
撮影装置１０は、試し撮りモードが選択された場合、撮影指示が受け付けられると、複数のパラメータのうちのいずれか１つのパラメータの値を変更していく動作を当該複数のパラメータの数の分だけ繰り返し、パラメータの値の変更の度に撮影を行うことによって複数の画像を取得する。
【００９４】
そして、撮影装置１０は、複数の画像を表示部１７に表示させ、表示された複数の画像のうち、選択された画像が取得されたときの撮影における複数のパラメータのそれぞれの値を撮影用設定値としてパラメータ記憶部１８に記憶させる。
【００９５】
これにより、パラメータの値を設定する際の操作性及び利便性を確保しつつ、所望の画像を取得することが可能となる。
【００９６】
なお、本実施形態では、撮影機能だけを有する撮影装置を一例として説明したが、本発明は、撮影機能を備えた様々な装置に適用することができる。撮影機能を備えた装置とは、例えば、携帯電話、スマートフォン等の携帯端末、パーソナルコンピュータ等である。
【００９７】
また、本発明においては、撮影装置内の処理は上述の専用のハードウェアにより実現されるもの以外に、その機能を実現するためのプログラムを撮影装置にて読取可能な記録媒体に記録し、この記録媒体に記録されたプログラムを撮影装置に読み込ませ、実行するものであっても良い。撮影装置にて読取可能な記録媒体とは、フレキシブルディスク、光磁気ディスク、ＤＶＤ、ＣＤなどの移設可能な記録媒体の他、撮影装置に内蔵されたＨＤＤなどを指す。
【符号の説明】
【００９８】
１０    撮影装置
１１    撮像部
１２    Ａ／Ｄ変換部
１３    画像処理部
１４    バッファメモリ
１５    入力部
１６    制御部
１７    表示部
１８    パラメータ記憶部
１９    記録用メモリ
５１    アイコン群
５２，６２，６８，６９    アイコン
６１    画像群
６３    選択枠
６４    拡大画像
６５，６６    矢印アイコン
６７    スライダバー
【図１】
2012090166.tif 000003
【図２】
2012090166.tif 000004
【図４】
2012090166.tif 000005
【図６】
2012090166.tif 000006
【図７】
2012090166.tif 000007
【図８】
2012090166.tif 000008
【図３】
2012090166.tif 000009
【図５】
2012090166.tif 000010
【図９】
2012090166.tif 000011